(57)【特許請求の範囲】
【請求項１】
肌対向側に位置する透液性表面シートと、肌非対向側に位置する不透液性裏面シートと、前記表裏面シートの間に介在する吸液性コアとから形成され、横方向へ延びる両端縁部と、縦方向へ延びる両側縁部とを有し、前記縦方向に前胴周り域および後胴周り域と、前記前後胴周り域の間に位置する股下域とを備えた使い捨ておむつにおいて、
前記表裏面シートと前記コアとを厚み方向へ貫通する開口が、前記前後胴周り域と前記股下域との少なくとも該股下域における前記両側縁部の間に形成され、大便を収容するための袋が、前記開口と対向するように前記おむつの肌非対向側に取り付けられ、
前記袋は、肌対向側に位置する透液性シートと、肌非対向側に位置する不透液性シートと、それらシートの間に略全域にわたり位置する吸液性コアとから形成され、
前記袋が、前記おむつの開口につながる大便入口と、前記大便入口の下方を前記縦方向へ延びる底と、前記大便入口と前記底との間に延びる周壁とを有し、前記大便入口の周縁近傍が、前記開口の周縁近傍に水密に固着され、前記袋の大便入口から底までの深さ寸法が、前記後胴周り域の側に位置する前記袋の後端部から前記前胴周り域の側に位置する前記袋の前端部に向かうにつれて次第に大きくなっていることを特徴とする前記おむつ。
【請求項２】
前記袋の後端部では、前記周壁の一部が前記大便入口から前記底に向かって横方向外方へテーパー状に延びている請求項１記載のおむつ。
【請求項３】
前記袋の大便収容容積が、３０〜１０，０００ｃｍ３の範囲にある請求項１または請求項２に記載のおむつ。
【請求項４】
前記袋の前端部における大便入口から底までの最大深さ寸法が、３〜２０ｃｍの範囲にあり、前記袋の後端部における大便入口から底までの最大深さ寸法が、０．５〜５ｃｍの範囲にある請求項１ないし請求項３いずれかに記載のおむつ。
【発明の詳細な説明】
【０００１】
【発明の属する技術分野】
本発明は、排泄物を吸収、保持する使い捨ておむつに関する。
【０００２】
【従来の技術】
透液性表面シートと不透液性裏面シートとの間に吸液性コアが介在し、縦方向に前胴周り域および後胴周り域と、それら胴周り域の間に位置する股下域とを備え、股下域に延びるコアにその厚み方向へ凹む大便保持用の凹部が形成された使い捨ておむつは公知である。そのようなものの一例として、特開平８−１９１８５７号公報は、股下域に厚み方向へ貫通する大便保持用の凹部を有する上層コアと、上層コアの下方に位置して凹部を塞ぐ下層コアとを有し、上下層コアの間に介在する親水性不織布が凹部内にのぞいている使い捨ておむつを開示している。他の一例として、実開平６−５６１４号公報は、コアがその上面から厚み方向へ凹む大便保持用の凹部を有し、凹部がその開口面から底面へ向かって逆テーパ状に拡大する使い捨ておむつを開示している。
【０００３】
【発明が解決しようとする課題】
それら公報に開示のおむつは、凹部の大便収容容積が小さく、凹部にわずかな大便を収容することはできるが、一度に多量の大便が排泄されると、凹部がそれを収容しきれず、凹部から溢れた大便が着用者の肌に付着してしまう。また、コアの上部からその厚み方向下方へ着用者の体圧がかかると、コアが潰れ、凹部の大便収容容積が着用前の状態よりもさらに小さくなってしまう。
【０００４】
本発明の課題は、大便収容容積の大きい袋に大便を収容し、着用者の肌に対する大便の付着を確実に防ぐことができる使い捨て着用物品を提供することにある。
【０００５】
【課題を解決するための手段】
前記課題を解決するための本発明の前提は、肌対向側に位置する透液性表面シートと、肌非対向側に位置する不透液性裏面シートと、前記表裏面シートの間に介在する吸液性コアとから形成され、横方向へ延びる両端縁部と、縦方向へ延びる両側縁部とを有し、前記縦方向に前胴周り域および後胴周り域と、前記前後胴周り域の間に位置する股下域とを備えた使い捨ておむつである。
【０００６】
かかる前提における本発明の特徴は、前記表裏面シートと前記コアとを厚み方向へ貫通する開口が、前記前後胴周り域と前記股下域との少なくとも該股下域における前記両側縁部の間に形成され、大便を収容するための袋が、前記開口と対向するように前記おむつの肌非対向側に取り付けられ、前記袋は、肌対向側に位置する透液性シートと、肌非対向側に位置する不透液性シートと、それらシートの間に略全域にわたり位置する吸液性コアとから形成され、前記袋が、前記おむつの開口につながる大便入口と、前記大便入口の下方を前記縦方向へ延びる底と、前記大便入口と前記底との間に延びる周壁とを有し、前記大便入口の周縁近傍が、前記開口の周縁近傍に水密に固着され、前記袋の大便入口から底までの深さ寸法が、前記後胴周り域の側に位置する前記袋の後端部から前記前胴周り域の側に位置する前記袋の前端部に向かうにつれて次第に大きくなっていることにある。
【０００７】
本発明の実施の態様の一例として、前記袋の後端部では、前記周壁の一部が前記大便入口から前記底に向かって横方向外方へテーパー状に延びている。
【０００８】
本発明の実施の態様の他の一例としては、前記袋の大便収容容積が、３０〜１０，０００ｃｍ３の範囲にある。
【０００９】
本発明の実施の態様の他の一例としては、前記袋の前端部における大便入口から底までの最大深さ寸法が、３〜２０ｃｍの範囲にあり、前記袋の後端部における大便入口から底までの最大深さ寸法が、０．５〜５ｃｍの範囲にある。
【００１０】
【００１１】
【発明の実施の形態】
添付の図面を参照し、本発明にかかる使い捨ておむつの詳細を開放型のおむつを例として説明すると、以下のとおりである。
【００１２】
図１，２は、表面シート２の側から示すおむつ１Ａの斜視図と、おむつ１Ａと袋９とを分離して示すそれらの斜視図とである。図３，４は、図１のＡ−Ａ線断面図と、図１のＢ−Ｂ線断面図とである。図１では、横方向を矢印Ｘで示し、縦方向を矢印Ｙで示す。図２では、袋９に成形する以前の状態を仮想線で示す。なお、表裏面シート２，３の内面とは、コア４に対向する面をいい、それらシート２，３の外面とは、コア４に非対向の面をいう。また、透液性シート１０と不透液性シート１１との内面とは、コア１２に対向する面をいい、それらシート１０，１１の外面とは、コア１２に非対向の面をいう。
【００１３】
おむつ１Ａは、肌対向側に位置する透液性表面シート２と、肌非対向側に位置する不透液性裏面シート３と、それらシート２，３の間に介在する吸液性コア４と、表面シート２の上方へ起立性向を有する実質的に不透液性の防漏カフ５とを有する。コア４は、表面シート２と裏面シート３との内面に接合されている。
【００１４】
おむつ１Ａは、縦方向に前胴周り域３０および後胴周り域３２と、前後胴周り域３０，３２の間に位置する股下域３１とを備え、横方向へ延びる両端縁部１ａと、縦方向へ延びる両側縁部１ｂとを有する。両側縁部１ｂは、股下域３１において横方向内方へ向かって弧を画いている。
【００１５】
おむつ１Ａの端縁部１ａには、横方向へ延びる帯状の胴周り用弾性部材６が伸長状態で取り付けられている。おむつ１Ａの両側縁部１ｂには、股下域３１を縦方向へ延びる複数条の脚周り用弾性部材７が伸長状態で取り付けられている。
【００１６】
おむつ１Ａの両側縁部１ｂの間には、表裏面シート２，３とコア４とをその厚み方向へ貫通する開口８が形成されている。開口８は、股下域３１を中心として前後胴周り域３０，３２へ向かって延びている。おむつ１Ａの肌非対向側には、大便を収容するための袋９が取り付けられている。
【００１７】
袋９は、肌対向側に位置する透液性シート１０と、肌非対向側に位置する不透液性シート１１と、それらシート１０，１１の間に介在する吸液性コア１２とから形成されている。コア１２は、透液性シート１０と不透液性シート１１との内面に接合されている。
【００１８】
袋９は、おむつ１Ａの開口７に対向する大便入口１３と、大便入口１３の下方を縦方向へ延びる底１４と、大便入口１３と底１４との間に延びる周壁１５とを有する。袋９は、前胴周り域３０の側に位置する前端部１７と、後胴周り域３２の側に位置する後端部１８とを有する。
【００１９】
袋９では、コア１２の周縁から周方向外方へ延びる透液性シート１０と不透液性シート１１との周縁部が水密に固着されている。図２に仮想線で示す状態から袋９に成形するには、透液性シート１０の外面を互いに当接させるように縦中心線Ｚで折曲し、袋９の前端部１７の側を縦方向外方へ向かって弧を画く透液性シート１０の部位１６を固着する。
【００２０】
おむつ１Ａでは、開口７の周縁近傍に延びる裏面シート３の外面と袋９の大便入口１３の周縁近傍に延びる透液性シート１０の外面とが水密に固着されている。おむつ１Ａと袋９との固着は、ホットメルト型接着剤を使用している。おむつ１Ａと袋９との固着には、ヒートシールや超音波接合等の熱による溶着手段を利用することができる。
【００２１】
袋９は、大便収容容積が３０〜１０，０００ｃｍ３の範囲にある。収容容積が３０ｃｍ３未満では、多量の大便が排泄されたときに、袋が大便を収容しきれない場合がある。収容容積が１０，０００ｃｍ３を超過すると、袋９が大型化してしまい、嵩張った袋９が着用者の股間部に接触するので、おむつ１Ａの着用時に不快感がある。
【００２２】
袋９では、図２に示すように、大便入口１３から底１４までの深さ寸法が後端部１８から前端部１７に向かうにつれて次第に大きくなっている。袋９では、前端部１７における最大深さ寸法Ｌ１が３〜２０ｃｍの範囲にあり、後端部１８における最大深さ寸法Ｌ２が０．５〜５ｃｍの範囲にある。
【００２３】
前端部１７における最大深さ寸法Ｌ１が３ｃｍ未満、かつ、後端部１８における最大深さ寸法Ｌ２が０．５ｃｍ未満では、袋９の大便収容容積を３０ｃｍ３以上にすることが難しい。前端部１７における最大深さ寸法Ｌ１が２０ｃｍを超過し、かつ、後端部１８における最大深さ寸法Ｌ２が５ｃｍを超過すると、袋９が大型化してしまう。
【００２４】
おむつ１Ａでは、後胴周り域３２の両側縁部１ｂに一対のテープファスナ１９が取り付けられ、前胴周り域３０における裏面シート３の外面にテープファスナ１９の止着域となるターゲットテープ２０が取り付けられている。
【００２５】
テープファスナ１９は、後胴周り域３２の両側縁部１ｂに固着された基端部と、ターゲットテープ２０に係脱可能に止着する自由端部とを有する。テープファスナ１９の自由端部には、メカニカルファスナのうちのフック部材（図示せず）が取り付けられている。テープファスナ１９では、自由端部が表面シート２の外面の側へ向かって折曲され、表面シート２に仮着されている。ターゲットテープ２０は、フック部材を係脱可能に止着するループ部材から形成されている。
【００２６】
カフ５は、おむつ１Ａの両側縁部１ｂを縦方向へ延びている。カフ５は、コア４の両側縁４ｂの外側近傍を縦方向へ延びる固定縁部５ａと、固定縁部５ａに並行して縦方向へ延びる自由縁部５ｂと、前後胴周り域３０，３２に位置しておむつ１Ａの横方向内方へ倒伏する固定両端部５ｃとを有する。自由縁部５ｂには、縦方向へ延びる弾性部材２１が伸長状態で取り付けられている。弾性部材２１は、自由縁部５ｂの一部に被覆されている。
【００２７】
カフ５では、固定縁部５ａから横方向外方へ側部５ｄが延びている。カフ５は、その固定縁部５ａがおむつ１Ａの両側縁部１ｂに固着され、その固定両端部５ｃがおむつ１Ａの両端縁部１ａに固着されている。おむつ１Ａでは、それが表面シート２を内側にして縦方向へ湾曲し、カフ５が縦方向へ収縮してその自由縁部５ｂが表面シート２の上方へ起立している。
【００２８】
おむつ１Ａの両端縁部１ｂでは、表面シート２の端部２ａと裏面シート３の端部３ａとがコア４の両端縁４ａから縦方向外方へ延び、それら端部２ａ，３ａの互いに重なり合う部分が固着されている。カフ５の固定両端部５ｃは、表面シート２の端部２ａに固着されている。胴周り用弾性部材６は、表面シート２の端部２ａと裏面シート３の端部３ａとの間に介在し、それら端部２ａ，３ａに固着されている。
【００２９】
おむつ１Ａの両側縁部１ｂでは、表面シート２の側部２ｂがコア４の両側縁４ｂから横方向外方へわずかに延び、表面シート２の側部２ｂからさらに横方向外方へ裏面シート３の側部３ｂとカフ５の側部５ｄとが延びている。側部２ｂは、側部３ｂと側部５ｄとの間に介在し、それら側部３ｂ，５ｄに固着されている。側部３ｂと側部５ｄとは、それら側部３ｂ，５ｄの互いに重なり合う部分が固着されている。カフ５の固定縁部５ａは、表面シート２の側部２ｂに固着されている。脚周り用弾性部材７は、裏面シート３の側部３ｂとカフ５の側部５ｄとの間に介在し、それら側部３ｂ，５ｄに固着されている。
【００３０】
図５は、前後胴周り域３０，３２を連結した着用状態で示す図１のおむつ１Ａの断面斜視図である。おむつ１Ａを着用するには、後胴周り域３２の両側縁部１ｂを前胴周り域３０の両側縁部１ｂの外側に重ね合わせ、テープファスナ１９の自由端部をターゲットテープ２０に止着する。
【００３１】
前後胴周り域３０，３２が連結されたおむつ１Ａには、図５に示すように、胴周り開口２２と、脚周り開口２３とが画成される。おむつ１Ａの着用状態では、袋９の底１４が後端部１８から前端部１７ヘ向かって股下域３１の下方へ傾斜する。おむつ１Ａでは、それに排泄された大便が袋９の内部に収容されるので、大便が表面シート２上に残存することはなく、着用者の肌に対する大便の付着を確実に防ぐことができる。
【００３２】
おむつ１Ａの着用時では、袋９の底１４が後端部１８から前端部１７ヘ向かって股下域３１の下方へ傾斜するので、大便が袋９の後端部１８の側に排泄されたとしても、大便が後端部１８から前端部１７の側に向かって移動する。大便は、深さ寸法が後端部１８のそれよりも大きい前端部１７に収容される。
【００３３】
袋９に収容された大便は、水分がコア１２に吸収、保持され、固形分が袋９の内部に残存する。おむつ１Ａでは、起立したカフ５の自由縁部５ｂが排泄物に対する障壁を形成し、両側縁部１ｂからの排泄物の漏れを防ぐことができる。
【００３４】
図６，７は、他の実施の形態を示すおむつの部分破断斜視図と、おむつと袋９とを分離して示すそれらの斜視図とである。図５のＣ−Ｃ線断面図とであり、図８，９は、図５のＣ−Ｃ線断面図と、図６のＤ−Ｄ線断面図とである。図７では、袋９に成形する以前の状態を仮想線で示す。図６のおむつ１Ｂが図１のそれと異なる点は、以下のとおりである。
【００３５】
袋９の後端部１８では、大便入口１３と底１４との間に延びる周壁１５の一部が大便入口１３から底１４に向かって横方向外方へテーパー状に延びている。袋９は、大便入口１３から底１４までの深さ寸法が後端部１８から前端部１７に向かうにつれて次第に大きくなっている。袋９の大便収容容積は、図１のそれと同一である。袋９では、前端部１７における最大深さ寸法Ｌ１が３〜１５ｃｍの範囲にあり、後端部１８における最大深さ寸法Ｌ２が０．５〜３ｃｍの範囲にある。
【００３６】
図７に仮想線で示す状態から袋９に成形するには、透液性シート１０の外面を互いに当接させるように縦中心線Ｚで折曲し、袋９の前端部１７の側を縦方向外方へ向かって弧を画く透液性シート１０の部位１６を固着する。さらに、袋９の後端部の側に延びる透液性シート１０の角部２４を固着する。
【００３７】
おむつ１Ｂでは、図１のそれと同様に、開口８の周縁近傍に延びる裏面シート３の外面と袋９の大便入口１３の周縁近傍に延びる透液性シート１０の外面とが水密に固着されている。
【００３８】
このおむつ１Ｂでは、袋９の後端部１８の側の周壁１５が大便入口１３から底１４に向かって横方向外方へテーパー状に延びているので、袋９の深さ寸法を大きくすることなく、袋９の大便収容容積を大きくすることができる。おむつ１Ｂでは、図１のそれと比較し、袋９がおむつ１Ｂの下方へ嵩張ることはない。
【００３９】
表面シート２と透液性シート１０とには、親水性繊維不織布、または、微細な多数の開孔を有するプラスチックフィルムを使用することができる。裏面シート３と不透液性シート１１とには、疎水性繊維不織布、不透液性のプラスチックフィルム、疎水性繊維不織布を重ね合わせた２層の不織布、疎水性繊維不織布にプラスチックフィルムを固着した複合シートのいずれかを使用することができる。防漏カフ５には、疎水性繊維不織布を使用することができる。
【００４０】
裏面シート３や不透液性シート１１、カフ５には、高い耐水性を有するメルトブローン法による繊維不織布を、高い強度を有しかつ柔軟性に富んだスパンボンド法による繊維不織布で挟んだ複合不織布を使用することもできる。
【００４１】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレン、または、ポリエチレン／ポリエステルからなる芯鞘型複合繊維またはサイドバイサイド型複合繊維を使用することができる。
【００４２】
コア４，１２は、フラッフパルプと高吸収性ポリマー粒子との混合物、または、フラッフパルプと高吸収性ポリマー粒子と熱可塑性合成樹脂繊維との混合物であり、所要の厚みに圧縮されている。それらコア４，１２は、ポリマー粒子の脱落や型崩れを防止するためにその全体がティッシュペーパーに被覆されていることが好ましい。ポリマー粒子としては、デンプン系、セルロース系、合成ポリマー系のものを使用することができる。
【００４３】
表裏面シート２，３や透液性シート１０、不透液性シート１１の固着、防漏カフ５の固着、それらシート２，３，１０，１１に対するそれらコア４，１２の接合、弾性部材６，７，１２の取り付けには、ホットメルト型接着剤、または、ヒートシールや超音波接合等の熱による溶着手段を使用することができる。
【００４４】
この発明は、開放型のおむつの他に、前後胴周り域があらかじめ連結されたパンツ型のおむつにも実施することができる。
【００４５】
【発明の効果】
本発明にかかる使い捨ておむつによれば、それに排泄された大便がおむつに取り付けられた袋の内部に収容されるので、大便が表面シート上に残存することはなく、着用者の肌に対する大便の付着を確実に防ぐことができる。
【００４６】
このおむつの着用時では、袋の底が後端部から前端部ヘ向かって股下域の下方へ傾斜するので、大便が袋の後端部の側に排泄されたとしても、大便が後端部か前端部の側に向かって移動する。このおむつでは、袋の前端部における深さ寸法が後端部におけるそれよりも大きいので、大便を袋の前端部に収容することで、それを着用者の肌から遠ざけることができる。
【００４７】
袋の後端部の側の周壁の一部が大便入口から底に向かって横方向外方へテーパー状に延びているおむつでは、袋の深さ寸法を大きくすることなく、袋の大便収容容積を大きくすることができ、袋がおむつの下方へ嵩張ることはない。
【図面の簡単な説明】
【図１】  表面シートの側から示すおむつの部分破断斜視図。
【図２】  おむつと袋とを分離して示すそれらの斜視図。
【図３】  図１のＡ−Ａ線断面図。
【図４】  図１のＢ−Ｂ線断面図。
【図５】  前後胴周り域を連結した着用状態で示す図１のおむつの斜視断面図。
【図６】  他の実施の形態を示すおむつの部分破断斜視図。
【図７】  おむつと袋とを分離して示すそれらの斜視図。
【図８】  図６のＣ−Ｃ線端面図。
【図９】  図６のＤ−Ｄ線端面図。
【符号の説明】
１Ａ          使い捨ておむつ
１Ｂ          使い捨ておむつ
１ａ          両端縁部
１ｂ          両側縁部
２            透液性表面シート
３            不透液性裏面シート
４            吸液性コア
８            開口
９            袋
１０            透液性シート
１１            不透液性シート
１２            吸液性コア
１３            大便入口
１４            底
１５            周壁
１７            前端部
１８            後端部
３０            前胴周り域
３１            股下域
３２            後胴周り域
Ｌ１            最大深さ寸法
Ｌ２            最大深さ寸法
【図１】
0003822795.tif 000002
【図２】
0003822795.tif 000003
【図３】
0003822795.tif 000004
【図４】
0003822795.tif 000005
【図５】
0003822795.tif 000006
【図６】
0003822795.tif 000007
【図７】
0003822795.tif 000008
【図８】
0003822795.tif 000009
【図９】
0003822795.tif 000010